(57)【要約】      （修正有）【課題】回転振動を減衰して軸受寿命を向上し、長期的に安定した回転が得られる回転陽極Ｘ線管装置およびＸ線撮像装置を提供する。【解決手段】回転陽極Ｘ線管装置は、電子線を発生する陰極部材と、電子線が衝突してＸ線を発生する陽極部材と、陽極部材を支持する回転部材と、回転部材を転がり軸受１０Ａ，１０Ｂを介して回転自在に支持する軸受箱７と、これらの陰極部材、陽極部材、回転部材および軸受箱７を真空気密に内包する収容器と、を含んでなる回転陽極Ｘ線管を備え、転がり軸受１０Ａは、回転部材の軸方向において少なくとも陽極部材側に配置されており、転がり軸受１０Ａの外輪と軸受箱７の内面との間には、隙間が形成され、隙間には、液体金属が充填されている構成とした。【選択図】図２
2014086163.tif 000002
【特許請求の範囲】
【請求項１】
電子線を発生する陰極部材と、電子線が衝突してＸ線を発生する陽極部材と、前記陽極部材を支持する回転部材と、前記回転部材を転がり軸受を介して回転自在に支持する軸受箱と、これらの陰極部材、陽極部材、回転部材および軸受箱を真空気密に内包する収容器と、を含んでなる回転陽極Ｘ線管を備え、
前記転がり軸受は、前記回転部材の軸方向において少なくとも前記陽極部材側に配置されており、
前記転がり軸受の外輪と前記軸受箱の内面との間には、隙間が形成され、
前記隙間には、液体金属が充填されていることを特徴とする回転陽極Ｘ線管装置。
【請求項２】
電子線を発生する陰極部材と、電子線が衝突してＸ線を発生する陽極部材と、前記陽極部材を支持する回転部材と、前記回転部材を転がり軸受を介して回転自在に支持する軸受箱と、これらの陰極部材、陽極部材、回転部材および軸受箱を真空気密に内包する収容器と、を含んでなる回転陽極Ｘ線管を備え、
前記転がり軸受は、前記軸受箱との間に配置された付勢手段によって予圧が付与されており、
前記転がり軸受の外輪と前記軸受箱の内面との間には、隙間が形成され、
前記隙間には、液体金属が充填されていることを特徴とする回転陽極Ｘ線管装置。
【請求項３】
電子線を発生する陰極部材と、電子線が衝突してＸ線を発生する陽極部材と、前記陽極部材を支持する回転部材と、前記回転部材を転がり軸受を介して回転自在に支持する軸受箱と、これらの陰極部材、陽極部材、回転部材および軸受箱を真空気密に内包する収容器と、を含んでなる回転陽極Ｘ線管を備え、
前記転がり軸受は、前記回転部材の軸方向において少なくとも前記陽極部材側とこれとは反対側との２箇所に配置されており、
前記転がり軸受の外輪と前記軸受箱の内面との間には、それぞれ隙間が形成され、
前記各隙間には、液体金属が充填されていることを特徴とする回転陽極Ｘ線管装置。
【請求項４】
前記転がり軸受の外輪の外周面には、リング状部材が装着されており、前記リング状部材と前記軸受箱の内面との間に前記隙間が形成され、前記隙間に液体金属が充填されていることを特徴とする請求項１から請求項３のいずれか１項に記載の回転陽極Ｘ線管装置。
【請求項５】
前記リング状部材の軸方向端部の側方には、前記液体金属をシールする弾性部材が配置されていることを特徴とする請求項１から請求項３のいずれか１項に記載の回転陽極Ｘ線管装置。
【請求項６】
前記リング状部材の軸方向端部の外径は、前記リング状部材の軸方向中央部の外径よりも小さいことを特徴とする請求項１から請求項３のいずれか１項に記載の回転陽極Ｘ線管装置。
【請求項７】
請求項１から請求項３のいずれか１項に記載の回転陽極Ｘ線管装置を備えたことを特徴とするＸ線撮像装置。
【発明の詳細な説明】
【技術分野】
【０００１】
本発明は、回転陽極Ｘ線管の回転振動を低減した回転陽極Ｘ線管装置およびＸ線撮像装置に関する。
【背景技術】
【０００２】
従来、Ｘ線を使用して被検体を診断する医療用Ｘ線装置（Ｘ線撮像装置）や工業用Ｘ線検査装置（Ｘ線撮像装置）には、Ｘ線発生源としてＸ線管装置が使用されている。
Ｘ線管装置は、絶縁油が充填されたハウジング内にＸ線管が収容された構造を有しており、Ｘ線管は、熱電子を発する陰極と、陰極と対向配置された陽極とが真空容器内に備わるものである。このようなＸ線管装置において、陰極と陽極との間に高電圧を印加すると、熱電子が陽極へ向かって加速され、両電極間にＸ線管電流が流れる。陽極に達した熱電子は陽極に設けられたターゲット上に電子線スポットを形成し、それにより電子線スポットからＸ線が発生される。
【０００３】
また、回転陽極型のＸ線管を備えた回転陽極Ｘ線管装置が知られている。回転陽極型のＸ線管では、陰極から放射された電子は、陰極と陽極ターゲット間の電位勾配により加速、集束され、回転する陽極ターゲットのＸ線放射層表面に略垂直に衝突してＸ線発生源となる焦点を形成する。焦点に高いエネルギを持った電子ビームが衝突すると、電子ビームはＸ線放射層により急速に減速されるためＸ線が放出される。Ｘ線に変換される割合は、Ｘ線放射層に衝突する電子の運動エネルギの中の１％程度と僅かで残りのエネルギは熱に変換され陽極のターゲットやその周辺を加熱する。
【０００４】
ターゲットの電子線スポットに熱が集中的に発生すると、熱によりターゲットの電子線スポットが溶融することがあるが、回転陽極Ｘ線管装置では、陽極を回転させることによりターゲット上の電子線スポットを分散させ、ターゲットの電子線スポットに熱が集中的に発生することを防止している。
【０００５】
ところで、回転陽極Ｘ線管装置では、回転陽極がボールベアリング等の軸受を介して真空容器に支持された構造となっており、部品のガタや残留アンバランス、軸受の隙間等が原因で、回転陽極が回転する際に振動が発生することがある。
回転陽極が振動すると、その振動が回転陽極を支持している支持手段を介して真空容器へと伝播され、さらに、Ｘ線管取り付け手段を介してハウジングへと伝播される。このため、ハウジングが振動してＸ線画像の解像度が低下したり、騒音が生じたりする原因となる。
【０００６】
本技術分野の背景技術として、特許文献１に記載されたものがある。特許文献１には、回転体の支持体の剛性を低くし、かつ支持体に、Ｘ線管装置内に充填された絶縁油を用いたスクイーズフィルムダンパによる減衰装置を備えたものが記載されている。特許文献１によれば、Ｘ線管装置の振動が効果的に吸振されるので、転がり軸受に作用する動的荷重が軽減される。これにより、長期的に安定した回転特性が得られ、画質の良いＸ線写真が得られる。
【０００７】
また、回転陽極から発生する振動を効率よく低減するものとして特許文献２に記載のＸ線管装置がある。
このＸ線管装置では、回転陽極を支持する回転陽極支持手段とＸ線管取り付け手段と、を備えており、これらの間に回転陽極が回転する際に発生する振動を減衰する防振部材を介在させてある。これにより、回転陽極や回転陽極支持手段等の製作精度や組み立て精度等が原因で振動が発生しても、防振部材により吸収、減衰されるため、Ｘ線管取り付け手段よりハウジング側へ伝播される振動や、これに伴う騒音を大幅に低減することができる。さらに、防振部材により回転陽極支持手段が軟支持構造となって、回転陽極から発生する振動を抑制するため、回転陽極自体の振動を軽減することもできる。
【０００８】
また、真空管内で使用する液体金属ガスケットとして特許文献３に記載されたものが知られている。この液体金属ガスケットは、液体金属充填物を含む内部プラグと、軸受組立体を真空管の真空容器部分から隔離するように内部プラグの第１の端部に動作上接続された第１のシールと、軸受組立体の空洞内の粒子および蒸気がＸ線管の真空領域の中へ移動するのを防止するように内部プラグの第２の端部に動作上接続された第２のシールと、を有する。第１のシールは好ましくは接触シールであり、第２のシールは好ましくは非接触シールである。液体金属ガスケットは、水銀、ガリウムまたはガリウム合金のような液体金属を含んでいてもよい。これらの液体金属ガスケットにより、任意の適当な種類の軸受組立体潤滑剤、例えば、油、粉末、液体、固体、湿潤金属等を使用することが可能である。
【０００９】
また、液体金属を用いたＸ線管装置として特許文献４に記載されたものが知られている。このＸ線管装置では、電子ビームを発生する陰極と、電子ビームの照射によりＸ線を放出する陽極ターゲットと、互いが対向する領域の一部に動圧式すべり軸受からなる軸受領域が設けられ、その他の対向する領域が非軸受領域になっている回転部分および固定部分を有し、陽極ターゲットを回転可能に支持する回転支持機構と、陰極および陽極ターゲット、回転支持機構を収納する真空外囲器とを具備し、非軸受領域における回転部分および固定部分の一方あるいは両方の少なくとも表面の一部を、軸受領域における回転部分および固定部分の表面よりも液体金属潤滑材に対して濡れ性の悪い材料で形成している。このＸ線管装置によれば、陽極ターゲットが高速回転する場合に、軸受損失の増大を抑えることができる。
【先行技術文献】
【特許文献】
【００１０】
【特許文献１】特開昭５７−７８７５６号公報
【特許文献２】特開２０１０−４４８９７号公報
【特許文献３】特開２００４−３３５４７４号公報
【特許文献４】特開２００７−２７３１０２号公報
【発明の概要】
【発明が解決しようとする課題】
【００１１】
一般的に医療用のＸ線管装置は病院等の静寂な場所で使用されるため、運転時の騒音は極力小さいことが望ましい。しかしながら、回転陽極Ｘ線管装置は、高温・高真空条件で用いられることから、回転体を支持する軸受の潤滑剤として通常用いられるグリースや潤滑油を使用することができない。このため、転がり軸受では、鉛、銀等の固体潤滑材が用いられ、また、すべり軸受では、ガリウム合金等の液体金属が用いられている。
したがって、転がり軸受では、潤滑条件が十分でなく温度変化による軸受隙間の増加等により、振動が増加して騒音が増大する可能性がある。また、振動の増加により電子ビームも振動するためＸ線画像の鮮明度も低下し、さらに、振動による動的な荷重も増大するため軸受の寿命が低下する可能性もある。
【００１２】
特許文献１に記載されたＸ線管装置は、温度の低い回転体の支持部において絶縁油を用いた振動減衰装置を設けたものであり、回転陽極Ｘ線管装置の高温部分の支持として採用することができない。また、特許文献２に記載のＸ線管装置では、回転陽極を支持する回転陽極支持手段とＸ線管取り付け手段との間に、回転陽極が回転する際に発生する振動を減衰する防振部材を介在させているが、防振部材による振動低減効果は期待できるものの、回転陽極Ｘ線管装置のように室温から高温（約３００℃）まで安定した減衰機能を持つ部材の選定が難しい。
また、特許文献３に記載されたＸ線管装置では、液体金属によるガスケット構造によって軸受部と陽極ターゲット部とを分離することで任意の潤滑剤を使用できるが、転がり軸受は、減衰機能を有さないため振動低減効果は少ない。
また、特許文献４に記載されたＸ線管装置では、液体金属によるすべり軸受構造が記載されており流体による減衰機能を備えているが、ラジアル軸受とスラスト軸受の双方が必要であり、高価な液体金属が多量に必要でコスト高になるといった課題を有している。
【００１３】
そこで、本発明は、回転振動を減衰して軸受寿命を向上し、長期的に安定した回転が得られる回転陽極Ｘ線管装置およびＸ線撮像装置を提供することを目的とする。
【課題を解決するための手段】
【００１４】
本発明の回転陽極Ｘ線管装置は、電子線を発生する陰極部材と、電子線が衝突してＸ線を発生する陽極部材と、前記陽極部材を支持する回転部材と、前記回転部材を転がり軸受を介して回転自在に支持する軸受箱と、これらの陰極部材、陽極部材、回転部材および軸受箱を真空気密に内包する収容器と、を含んでなる回転陽極Ｘ線管を備え、前記転がり軸受は、前記回転部材の軸方向において少なくとも前記陽極部材側に配置されており、前記転がり軸受の外輪と前記軸受箱の内面との間には、隙間が形成され、前記隙間には、液体金属が充填されていることを特徴とする。
また、Ｘ線撮像装置は、このような回転陽極Ｘ線管装置を備えていることを特徴とする。
【発明の効果】
【００１５】
本発明によれば、回転振動を減衰して軸受寿命を向上し、長期的に安定した回転が得られる回転陽極Ｘ線管装置およびＸ線撮像装置が得られる。
【図面の簡単な説明】
【００１６】
【図１】本発明の第１実施形態に係る回転陽極Ｘ線管装置を示す断面図である。
【図２】回転陽極Ｘ線管を示す拡大断面図である。
【図３】軸受部分の拡大断面図である。
【図４】Ｘ線撮像装置としてのＸ線ＣＴ装置を示す概略構成図である。
【図５】本発明の第２実施形態に係る回転陽極Ｘ線管装置の軸受部分を示す拡大断面図である。
【図６】本発明の第３実施形態に係る回転陽極Ｘ線管装置の軸受部分を示す拡大断面図である。
【図７】本発明の第４実施形態に係る回転陽極Ｘ線管装置の回転陽極Ｘ線管を示す拡大断面図である。
【図８】本発明の第５実施形態に係る回転陽極Ｘ線管装置の回転陽極Ｘ線管を示す拡大断面図である。
【発明を実施するための形態】
【００１７】
以下、本実施形態に係る回転陽極Ｘ線管装置について図面を参照して説明する。
（第１実施形態）
図１に示すように、回転陽極Ｘ線管装置１は、内部に回転陽極Ｘ線管２を備えている。回転陽極Ｘ線管２は、電子線を発生する陰極部材（以下、陰極体という）３と、電子線が衝突してＸ線を発生する陽極部材（以下、陽極ターゲットという）４と、陽極ターゲット４を支持する回転部材となる有底円筒状の駆動モータロータ５と、駆動モータロータ５に連結された軸６と、軸６を支持する転がり軸受１０Ａ，１０Ｂと、転がり軸受１０Ａ，１０Ｂを介して軸６を回転自在に支持する軸受箱７と、陰極体３、陽極ターゲット４、駆動モータロータ５、軸６（転がり軸受１０Ａ，１０Ｂ）および軸受箱７を真空気密に内包する収容器としてのガラス管球８と、を含んで構成されている。
【００１８】
回転陽極Ｘ線管２は、回転陽極Ｘ線管装置１の外枠を形成するハウジング９内に固定されている。ハウジング９の内側の一端部には、回転陽極Ｘ線管２の軸方向にフレーム９ａが突設され、このフレーム９ａに支持部９ｂが固定されている。支持部９ｂには、回転陽極Ｘ線管２がボルト１１により固定されている。また、回転陽極Ｘ線管２（ガラス管球８）の他端部は、管支持体１２を介してハウジング９に支持されている。
フレーム９ａには、磁界発生装置となるモータステータ３ａが設けられており、回転磁界の発生により、駆動モータロータ５と陽極ターゲット４は、３０００〜９０００ｒｐｍの範囲で回転する。Ｘ線発生時は、陰極体３と陽極ターゲット４との間に高電圧が印加されるので全体の電気絶縁性を確保するためにハウジング９内は、絶縁油１３で満たされている。
【００１９】
図２に示すように、駆動モータロータ５の底部には、フランジ部６ａを介して軸６が図示しないボルトにより固定されている。
軸受箱７は、基部７ａと、基部７ａに一体に設けられた円筒部７ｂと、円筒部７ｂを覆う軸受箱外囲材１６とを有している。基部７ａには、ボルト穴７ｃが形成されている。ボルト穴７ｃには、支持部９ｂ（図１参照）に固定するためのボルト１１が締結される。円筒部７ｂの内側には、転がり軸受１０Ａ，１０Ｂを介して軸６が回転自在に支持されている。
【００２０】
転がり軸受１０Ａ，１０Ｂは、軸６の軸方向に円筒状のスペーサリング１４を介して所定の間隔に配置されている。なお、スペーサリング１４は、軸受箱７の円筒部７ｂに対して図示しないねじ等により回転不能に位置決め固定されている。
円筒部７ｂの外周面は、円筒状の軸受箱外囲材１６で覆われている。軸受箱外囲材１６は、円筒部７ｂの段付き形状に対応する段付き形状を備えており、先端部１６ａが軸受１０Ａを覆う状態に、陽極ターゲット４に向けて延出している。
【００２１】
転がり軸受１０Ａは、図３に示すように、外輪１０１と転動体（ボール）１０２とを有している。転がり軸受１０Ａは内輪を有しておらず、軸６の外周面に転動体１０２が摺接する溝６ｂが形成されている。外輪１０１は、図示はしないが、ピン等の固定部材によってスペーサリング１４に回り止めされており、回転不能に固定されている。外輪１０１の外周面１０１ａには、所定の厚さを有するリング状部材１５が取り付けられている。
外輪１０１の外周面１０１ａにリング状部材１５が取り付けられた状態で、リング状部材１５の外周面１５ｂと軸受箱外囲材１６の内周面１６ｂとの間には、数十μｍ程度の隙間Ｓ１が形成されるようになっている。この隙間Ｓ１には、液体金属１８が充填されている。つまり、転がり軸受１０Ａの外輪１０１は、液体金属１８介して軸受箱外囲材１６の内周面１６ｂに支持されている。リング状部材１５の材質としては、真空中で高温に耐えられるもの、例えば、ステンレス等により形成することができる。
なお、リング状部材１５の大きさ（軸方向の大きさ）は適宜設定することができる。リング状部材１５の大きさを変えることで液体金属１８が保持される面積を変えることができ、振動入力に対する反力を所望のものに設定することができる。
液体金属１８は、例えば、水銀、ガリウムまたはガリウム合金等を含むものを用いることができ、沸点は、１０００℃以上である。
【００２２】
転がり軸受１０Ｂは、図２に示すように、外輪１０３と転動体１０４とを有している。転がり軸受１０Ｂも前記転がり軸受１０Ａと同様に内輪を有しておらず、軸６の外周面に転動体１０４が摺接する溝６ｃが形成されている。外輪１０３は、軸受箱７の円筒部７ｂに収納され、円筒部７ｂの内側に設置されている押しばね１７およびリング１９で位置決めされている。
【００２３】
このような回転陽極Ｘ線管装置において、軸６が回転すると、軸６や駆動モータロータ５等の回転体は、一端側のボルト１１（図１参照）でフレーム９ａ（図１参照）に片持ち状態に支持されているため、これから一番離れた側となる他端側の陽極ターゲット４が最も振動の大きい部分となる。したがって、軸６においては、転がり軸受１０Ａで支持している部分が最も振動が大きくなる。
軸６の振動は、図３に示すように、転動体１０２から外輪１０１へ伝播され、外輪１０１からリング状部材１５を通じて隙間Ｓ１内の液体金属１８に伝わる。液体金属１８に振動が伝播され、振動により液体金属１８が押し退けられようとすると、液体金属１８の粘性により反力が生じ、振動減衰効果が得られる。
【００２４】
次に、図４を参照して回転陽極Ｘ線管装置１を用いたＸ線撮像装置としてのＸ線ＣＴ装置について説明する。
図４に示すように、スキャナガントリ１１１は、中央部に円形の開口部１１３を有しており、この開口部１１３に、被検体１１４を寝かせるための寝台１１５が設置されている。寝台１１５は、図示しない水平移動手段および上下移動手段により被検体１１４の体軸方向および上下方向へ移動自在となっている。
【００２５】
スキャナガントリ１１１内には、被検体１１４の周囲を回転するスキャナ１１２が設けられている。このスキャナ１１２には、被検体１１４を挟んで対向するように、回転陽極Ｘ線管装置１とＸ線検出器１１６とが配置されている。
【００２６】
回転陽極Ｘ線管装置１から発生したＸ線は、被検体１１４に照射される。なお、回転陽極Ｘ線管装置１の照射面側すなわち回転陽極Ｘ線管装置１と被検体１１４との間には周知の図示しないコリメータ等が配置されており、Ｘ線ビームの照射野がＸ線検出器１１６に対応する所定幅に設定されている。
【００２７】
Ｘ線検出器１１６は、回転陽極Ｘ線管装置１の焦点を中心とする円弧状に形成されている。Ｘ線の受光面には、被検体１１４の体軸と直交するチャンネル方向に多数のＸ線検出素子群が配列され、またＸ線検出素子群は被検体１１４の体軸方向へ複数列配列された構成となっている。このＸ線検出器１１６で被検体１１４を透過したＸ線が検出され、データ収集装置１１７で投影データとしてデータ収集される。
【００２８】
データ収集装置１１７で収集された投影データは、画像再構成装置１１８に送られ、画像再構成装置１１８では、投影データに基づき被検体１１４の断層像が再構成される。そして、再構成された断層像は画像表示装置１１９に表示され、画像診断に供される。
【００２９】
以上説明した本実施形態の回転陽極Ｘ線管装置１によれば、リング状部材１５の外周面１５ｂと軸受箱外囲材１６の内周面１６ｂとの間には、隙間Ｓ１が形成され、この隙間Ｓ１に液体金属１８が充填されているので、液体金属１８をスクイーズダンパとして機能させることができ、リング状部材１５を通じて伝播された振動により液体金属１８が押し退けられようとすると、液体金属１８の粘性により反力が生じ、振動減衰効果が得られる。したがって、回転振動を好適に減衰して軸受寿命を向上することができ、長期的に安定した回転が得られる。
【００３０】
また、運転時に、軸６における最も振動が大きくなる転がり軸受１０Ａにおいて、液体金属１８により好適に回転振動を低減することができるので、振動減衰効果が高く、静粛な回転陽極Ｘ線管装置１を提供することができる。
【００３１】
また、液体金属１８は、狭い隙間Ｓ１内を満たす量でよいため、すべり軸受けのように多量の液体金属を必要とせず、コストの低減を図ることができる。
また、リング状部材１５の大きさを変更することによって、液体金属１８が保持される面積を自由に変えることができ、所望の減衰力を得ることができる。
【００３２】
なお、陽極ターゲット４の表面からＸ線が図１中の矢印方向に放出されるときに、陽極ターゲット４に生じる熱の一部は熱伝導により軸６および転がり軸受１０Ａを通じて軸受箱７へ伝熱され、その結果、転がり軸受１０Ａが約３００〜４００℃の温度に上昇することとなるが、液体金属１８の沸点は、１０００℃以上であるため、陽極ターゲット４の熱により蒸発することもなく、回転陽極Ｘ線管２の仕様温度範囲内で減衰機能が失われることもない。したがって、回転振動を好適に減衰して軸受寿命を向上することができ、長期的に安定した回転が得られる。
【００３３】
また、本実施形態の転がり軸受１０Ａは、すべり軸受と異なり外輪１０１およびリング状部材１５は回転しないため、動圧が発生することはなく、狭い隙間Ｓ１内の液体金属１８は、毛細管現象により隙間Ｓ１内に保持されるため、これが漏れる心配もない。
【００３４】
また、軸６の外周面に溝６ｂ，６ｃが設けられているので、転がり軸受１０Ａ，１０Ｂの内輪が不要となり、内輪が不要となる分、軸６を太く形成することができる。このことは、振動減衰の向上に寄与する。
【００３５】
また、回転陽極Ｘ線管装置１を用いたＸ線ＣＴ装置によれば、回転陽極Ｘ線管装置１の回転振動に基づくＸ線ＣＴ装置の騒音を好適に低減することができ、静寂性の向上を図ることができる。さらに、回転陽極Ｘ線管装置１の回転振動が減衰されることにより、Ｘ線画像の解像度の向上を図ることができるＸ線ＣＴ装置が得られる。
【００３６】
（第２実施形態）
図５を参照して第２実施形態の回転陽極Ｘ線管装置について説明する。
本実施形態が前記第１実施形態と異なるところは、隙間Ｓ１の両端部をシールした点にある。
【００３７】
図５に示すように、リング状部材１５の両端部の側方には、隙間Ｓ１を塞ぐようにリング状の弾性部材１０５，１０６が配置されている。弾性部材１０５，１０６は軸受箱外囲材１６の内周面１６ｂにそれぞれ固定されている。
【００３８】
弾性部材１０５，１０６としては、軸受箱外囲材１６と軸６の熱膨張差による伸び、約数十μｍの変形に対し過大な反力が出ない材質のものを選定する。本実施形態では、弾性部材１０５，１０６とリング状部材１５とが接触状態にあり、リング状部材１５は、振動を多少拘束されることになるため、弾性部材１０５，１０６は、摩擦係数の小さい材質、例えばＰＴＦＥ（ポリテトラフルオロエチレン）等を用いるのがよい。
【００３９】
本実施形態の回転陽極Ｘ線管装置１によれば、軸６の過大な振動により液体金属１８が押し出されたり、熱膨張により隙間Ｓ１が減少して液体金属１８が隙間Ｓ１の体積を超える状態になっても、弾性部材１０５，１０６により隙間Ｓ１が密封され（シールされ）、隙間Ｓ１の外部に液体金属１８が漏れることがない。したがって、安定した減衰効果が得られ、軸受寿命を向上することができ、長期的に安定した回転が得られる。
【００４０】
（第３実施形態）
図６を参照して第３実施形態の回転陽極Ｘ線管装置について説明する。
本実施形態が前記第１，第２実施形態と異なるところは、リング状部材１５の軸方向端部の外径Ｄ１が、リング状部材１５の軸方向中央部の外径Ｄ２よりも小さい点にある。
【００４１】
図６に示すように、リング状部材１５の軸方向端部は、外輪１０１に向けて傾斜しており、これによって、リング状部材１５の軸方向端部の外径Ｄ１が、リング状部材１５の軸方向中央部の外径Ｄ２よりも小さく構成されている。つまり、リング状部材１５の端部方向に向かって隙間Ｓ１が拡大する構造となっている。
【００４２】
本実施形態の回転陽極Ｘ線管装置１によれば、軸６の過大振動や、熱膨張による隙間Ｓ１の変化に対して、リング状部材１５の軸方向端部における容積拡大により、液体金属１８が隙間Ｓ１から漏れることがない。
しかも、前記第２実施形態で示したような弾性部材１０５，１０６（図５参照）によってリング状部材１５を拘束することもないため、より優れた減衰効果が得られる。
【００４３】
なお、本実施形態では、外輪１０１に向けた傾斜を断面直線状としたが、断面湾曲突状、断面湾曲凹状、または断面段状として、リング状部材１５の軸方向端部の外径Ｄ１が、リング状部材１５の軸方向中央部の外径Ｄ２よりも小さくなるように構成してもよい。
【００４４】
（第４実施形態）
図７を参照して第４実施形態の回転陽極Ｘ線管装置について説明する。
本実施形態が前記第１〜第３実施形態と異なるところは、付勢手段としてのばね２０によって転がり軸受１０Ａおよび転がり軸受１０Ｂに予圧が付与されている点である。
【００４５】
転がり軸受１０Ａとスペーサリング１４との間には、付勢手段として機能するばね２０が配置されており、このばね２０によって、転がり軸受１０Ａおよび転がり軸受１０Ｂに予圧が付与されている。
【００４６】
本実施形態の回転陽極Ｘ線管装置１によれば、ばね２０により両方の転がり軸受１０Ａ、１０Ｂの転動体１０２，１０４がそれぞれの外輪１０１，１０３によって各溝６ｂ，６ｃに対して押し付けられることとなるため、すべての転動体１０２，１０４は遊びがなくなり、安定した振動減衰が得られる。
さらに、リング状部材１５と軸受箱外囲材１６との間の隙間Ｓ１により、外輪１０１と軸受箱外囲材１６との間の摩擦による固渋で、過大予圧や予圧不足が生じることがないといった利点も得られる。
【００４７】
また、前記実施形態では、転がり軸受１０Ａとスペーサリング１４との間にばね２０を配置したが、これに限られることはなく、転がり軸受１０Ａや転がり軸受１０Ｂに対して予圧を付与可能に、転がり軸受１０Ａと軸受箱７との間にばね２０が配置されていればよい。
【００４８】
（第５実施形態）
図８を参照して第５実施形態の回転陽極Ｘ線管装置について説明する。
本実施形態が前記第１〜第４実施形態と異なるところは、転がり軸受１０Ａおよび転がり軸受１０Ｂの両方に隙間Ｓ１が設けられ、これらの隙間Ｓ１に液体金属１８がそれぞれ充填されている点である。
【００４９】
本実施形態では、振動の大きい側の転がり軸受１０Ａと比較的振動の小さい側の転がり軸受１０Ｂの両方に隙間Ｓ１が形成されて、これらの隙間Ｓ１に液体金属１８がそれぞれ充填されているので、より一層振動を減衰することができ、静粛性に優れた回転陽極Ｘ線管装置１が得られる。
【００５０】
以上本発明について説明したが、本発明は前記実施形態に限定されるものではなく、適宜変更して実施可能である。
前記各実施形態では、リング状部材１５の外周面１５ｂと軸受箱外囲材１６の内周面１６ｂとの間に隙間Ｓ１を形成して、この隙間Ｓ１に液体金属１８を充填したが、これに限られることはなく、リング状部材１５を用いることなく、外輪１０１（外輪１０３）と軸受箱外囲材１６の内周面１６ｂ（円筒部７ｂの内周面）との間に隙間Ｓ１を直接形成して、この隙間Ｓ１に液体金属１８をそれぞれ充填してもよい。
【００５１】
また、軸６の外周面に溝６ｂ，６ｃを形成したが、これに限られることはなく、内輪を設けて、内輪で軸６を支持してもよい。
【００５２】
また、前記各実施形態で説明した回転陽極Ｘ線管装置１は、前記したＸ線ＣＴ装置に用いるものに限られることはなく、撮像装置としての工業用Ｘ線検査装置に対して用いることもできる。この場合にも、回転陽極Ｘ線管装置１による回転振動の減衰効果により、静寂性の向上やＸ線画像の解像度の向上を図ることができる。
【符号の説明】
【００５３】
１      回転陽極Ｘ線管装置
２      回転陽極Ｘ線管
３      陰極体（陰極部材）
４      陽極ターゲット（陽極部材）
６      軸（回転部材）
７      軸受箱
８      ガラス管球（収容器）
１０Ａ  転がり軸受
１０Ｂ  転がり軸受
１４    スペーサリング
１５    リング状部材
１５ａ  外周面
１６    軸受箱外囲材
１６ｂ  内周面
１８    液体金属
１０１  外輪
１０５  弾性部材
Ｄ１    外径
Ｄ２    外径
Ｓ１    隙間
【図１】
2014086163.tif 000003
【図２】
2014086163.tif 000004
【図３】
2014086163.tif 000005
【図４】
2014086163.tif 000006
【図５】
2014086163.tif 000007
【図６】
2014086163.tif 000008
【図７】
2014086163.tif 000009
【図８】
2014086163.tif 000010